(57)【要約】テレビ・オーディオ信号エンコーダが、和信号の生成のために左チャンネル・オーディオ信号と右チャンネル・オーディオ信号を合計する装置を含む。またこの装置は、差信号の生成のために左および右オーディオ信号のうちの１つをもう一方のオーディオ信号から引く。エンコーダは、差信号をフィルタリングするために１つまたは複数のフィルタ係数セットを選択的に使用する構成可能無限インパルス応答デジタル・フィルタをも含む。フィルタ係数セットは、送信に備えて差信号を準備するために、単一の乗算器によって差信号に再帰的に適用される。
2008510435.tif 000002
【特許請求の範囲】
【請求項１】
左チャンネル・オーディオ信号と右チャンネル・オーディオ信号を合計して和信号を生成し、そして前記左および右オーディオ信号うちの１つを前記左および右信号のうちのもう一方から引いて差信号を生成するよう構成された装置と、
少なくとも１つのフィルタ係数セットを選択的に使用して前記差信号をフィルタリングするよう構成された構成可能無限インパルス応答デジタル・フィルタとを含み、前記フィルタ係数セットを単一の乗算器によって再帰的手法で前記差信号に適用して、前記差信号の送信のために準備することを特徴とするテレビ・オーディオ信号エンコーダ。
【請求項２】
前記構成可能無限インパルス応答デジタル・フィルタは、前記フィルタ係数セットを前記差信号に再帰的手法で適用するためのフィードバック経路を含むことを特徴とする請求項１に記載のテレビ・オーディオ信号エンコーダ。
【請求項３】
前記フィードバック経路は、前記差信号に関連したデジタル信号を遅延させるシフト・レジスタを含むことを特徴とする請求項２に記載のテレビ・オーディオ信号エンコーダ。
【請求項４】
前記構成可能無限インパルス応答デジタル・フィルタが、前記差信号に関連した信号を乗算して、この乗算の出力を供給するように構成されることを特徴とする請求項１に記載のテレビ・オーディオ信号エンコーダ。
【請求項５】
前記構成可能無限インパルス応答デジタル・フィルタが、デジタル入力信号を選択するよう構成されたセレクタを含むことを特徴とする請求項１に記載のテレビ・オーディオ信号エンコーダ。
【請求項６】
前記構成可能無限インパルス応答デジタル・フィルタが、前記フィルタ係数のうちの１つを選択するように構成されたセレクタを含むことを特徴とする請求項１に記載のテレビ・オーディオ信号エンコーダ。
【請求項７】
前記セレクタがマルチプレクサを含むことを特徴とする請求項５に記載のテレビ・オーディオ信号エンコーダ。
【請求項８】
前記構成可能無限インパルス応答デジタル・フィルタが、ローパス・フィルタを提供するように構成されることを特徴とする請求項１に記載のテレビ・オーディオ信号エンコーダ。
【請求項９】
前記構成可能無限インパルス応答デジタル・フィルタが、前記フィルタ係数を前記差信号に再帰的手法で適用する単一の加算器を含むことを特徴とする請求項１に記載のテレビ・オーディオ信号エンコーダ。
【請求項１０】
前記テレビ・オーディオ信号がＢＴＳＣ規格に準拠することを特徴とする請求項１に記載のテレビ・オーディオ信号エンコーダ。
【請求項１１】
前記テレビ・オーディオ信号がＮＩＣＡＭ規格に準拠することを特徴とする請求項１に記載のテレビ・オーディオ信号エンコーダ。
【請求項１２】
前記テレビ・オーディオ信号がＡ２／Ｚｗｅｉｔｏｎ規格に準拠することを特徴とする請求項１に記載のテレビ・オーディオ信号エンコーダ。
【請求項１３】
前記テレビ・オーディオ信号がＥＩＡ−Ｊ規格に準拠することを特徴とする請求項１に記載のテレビ・オーディオ信号エンコーダ。
【請求項１４】
前記構成可能無限インパルス応答デジタル・フィルタが集積回路で実装されることを特徴とする請求項１に記載のテレビ・オーディオ信号エンコーダ。
【請求項１５】
少なくとも１つのフィルタリング係数セットを選択的に使用して差信号をフィルタリングするように構成された構成可能無限インパルス応答デジタル・フィルタを含み、前記差信号が、左チャンネルおよび右チャンネル・オーディオ信号のうちの１つを前記左チャンネルおよび右チャンネル・オーディオ信号のうちのもう一方から引くことによって生成され、そして前記フィルタ係数セットを単一の乗算器によって再帰的手法で前記差信号に適用して、前記左チャンネルと右チャンネル・オーディオ信号の分離のために前記差信号を準備するものであり、さらに、
前記差信号および和信号から前記左チャンネルと右チャンネル・オーディオ信号を分離するように構成された装置とを含み、前記和信号が前記左チャンネル・オーディオ信号と右チャンネル・オーディオ信号の和を含むことを特徴とするテレビ・オーディオ信号デコーダ。
【請求項１６】
前記構成可能無限インパルス応答デジタル・フィルタは、前記フィルタ係数セットを前記差信号に再帰的手法で適用するためのフィードバック経路を含むことを特徴とする請求項１５に記載のテレビ・オーディオ信号デコーダ。
【請求項１７】
前記フィードバック経路は、前記差信号に関連したデジタル信号を遅延させるシフト・レジスタを含むことを特徴とする請求項１６に記載のテレビ・オーディオ信号デコーダ。
【請求項１８】
前記構成可能無限インパルス応答デジタル・フィルタが、前記差信号に関連した信号を乗算して、この乗算の出力を供給するように構成されることを特徴とする請求項１５に記載のテレビ・オーディオ信号デコーダ。
【請求項１９】
前記構成可能無限インパルス応答デジタル・フィルタが、デジタル入力信号を選択するように構成されたセレクタを含む請求項１５に記載のテレビ・オーディオ信号デコーダ。
【請求項２０】
前記構成可能無限インパルス応答デジタル・フィルタが、前記フィルタ係数のうちの１つを選択するように構成されたセレクタを含むことを特徴とする請求項１５に記載のテレビ・オーディオ信号デコーダ。
【請求項２１】
前記セレクタがマルチプレクサを含むことを特徴とする請求項１９に記載のテレビ・オーディオ信号デコーダ。
【請求項２２】
前記構成可能無限インパルス応答デジタル・フィルタが、ローパス・フィルタを提供するように構成されることを特徴とする請求項１５に記載のテレビ・オーディオ信号デコーダ。
【請求項２３】
前記構成可能無限インパルス応答デジタル・フィルタが、前記フィルタ係数を前記差信号に再帰的手法で適用する単一の加算器を含むことを特徴とする請求項１５に記載のテレビ・オーディオ信号デコーダ。
【請求項２４】
前記テレビ・オーディオ信号がＢＴＳＣ規格に準拠することを特徴とする請求項１５に記載のテレビ・オーディオ信号デコーダ。
【請求項２５】
前記テレビ・オーディオ信号がＮＩＣＡＭ規格に準拠することを特徴とする請求項１５に記載のテレビ・オーディオ信号デコーダ。
【請求項２６】
前記テレビ・オーディオ信号がＡ２／Ｚｗｅｉｔｏｎ規格に準拠することを特徴とする請求項１５に記載のテレビ・オーディオ信号デコーダ。
【請求項２７】
前記テレビ・オーディオ信号がＥＩＡ−Ｊ規格に準拠することを特徴とする請求項１５に記載のテレビ・オーディオ信号デコーダ。
【請求項２８】
前記構成可能無限インパルス応答デジタル・フィルタが集積回路で実装されることを特徴とする請求項１５に記載のテレビ・オーディオ信号デコーダ。
【発明の詳細な説明】
【技術分野】
【０００１】
本開示は、テレビ・オーディオ信号処理に関し、より詳細には、テレビ・オーディオ信号の符号化および復号で使用するための構成可能アーキテクチャに関する。
【背景技術】
【０００２】
本出願は、本願の譲受人の以下の米国出願、すなわち２００４年８月１７日に出願された米国仮特許出願第６０／６０２１６９号「Ｄｉｇｉｔａｌ  Ａｒｃｈｉｔｅｃｔｕｒｅ  ｆｏｒ  ａ  ＢＴＳＣ  Ｅｎｃｏｄｅｒ／Ｄｅｃｏｄｅｒ  ｗｉｔｈ  ＳＡＰ」に関する。同特許の優先権を主張し、その内容全体を、参照により本明細書に組み込む。
【０００３】
１９８４年、米国は、連邦通信委員会の後援により、テレビ用ステレオ・オーディオの送受信の規格を採用した。この規格は、ＦＣＣの会報ＯＥＴ−６０に成文化されており、それを提案した放送テレビ・システム委員会（Ｂｒｏａｒｄｃａｓｔ  Ｔｅｌｅｖｉｓｉｏｎ  Ｓｙｓｔｅｍｓ  Ｃｏｍｍｉｔｔｅｅ）にちなんでＢＴＳＣシステムの名前で、またはＭＴＳ（多重チャンネル・テレビ・サウンド：Ｍｕｌｔｉ−ｃｈａｎｎｅｌ  Ｔｅｌｅｖｉｓｉｏｎ  Ｓｏｕｎｄ）システムとしばしば呼ばれる。
【０００４】
ＢＴＳＣシステムの前、放送テレビ・オーディオは、モノラルであり、オーディオ・コンテンツの単一の「チャンネル」または信号で構成されていた。ステレオ・オーディオは一般に、２本の独立したオーディオ・チャンネルの送信、および両方のチャンネルを検出し回復することができる受信機を必要とする。新しい伝送規格が既存のモノラル・テレビ・セットと「互換性がある」（すなわち、既存のモノラル受信機が新しいタイプのステレオ放送からの適切なオーディオ信号を再生することができる）というＦＣＣの要件を満たすために、放送テレビ・システム委員会はＦＭラジオ・システムに類似の手法を採用した。すなわち、ステレオの左と右のオーディオ信号が組み合わされて、２つの新しい信号、和信号および差信号が形成される。
【０００５】
モノラル・テレビ受信機は、左と右のステレオ信号を加算したものからなる和信号だけを検知し復調する。ステレオ対応受信機は、和と差の両方の信号を受信し、ステレオの左右の元の信号を抽出するために信号を再び組み合わせる。
【０００６】
送信では、和信号は、モノラル・オーディオ信号と同じように、音声ＦＭ搬送波を直接に変調する。しかし、差チャンネルはまず、音声搬送波の中心周波数より上の３１．７６８ｋＨｚに位置するＡＭ副搬送波に変調される。ＦＭ変調の性質は、バックグラウンド・ノイズがオクターブ当たり３デシベル（ｄＢ）だけ増加し、その結果、新しい副搬送波が音声搬送波の中心周波数から、和またはモノラル信号よりさらに遠くに位置することになるので、追加のノイズが差チャンネルに、したがって回復されたステレオ信号に持ち込まれるというものである。多くの状況において、この増加するノイズの特性によってステレオ信号は実際には、ＦＣＣによって課された必要条件を満たすにはノイズが大きすぎるものになり、したがって、ＢＴＳＣシステムは、差チャンネル信号経路内のノイズ低減のシステムを義務付けている。
【０００７】
（この技術を開発した会社にちなんで）ｄｂｘノイズ低減と呼ばれることもあるこのシステムは、エンコーダとデコーダとを備える、圧伸タイプのものである。エンコーダは、復号が行われると、送信プロセスの間に増すノイズが振幅および周波数成分によって隠される（「マスクされる」）ように、送信の前に差信号を適応可能にフィルタリングする。デコーダは、差信号を元の形に復元し、それによって、信号成分によりノイズが可聴的（audibly）にマスクされることを保証して、このプロセスを完了する。
【０００８】
ｄｂｘノイズ低減システムもまた、２次オーディオ・プログラミング（ＳＡＰ：Ｓｅｃｏｎｄａｒｙ  Ａｕｄｉｏ  Ｐｒｏｇｒａｍｍｉｎｇ）信号の符号化および復号のために使用され、この２次オーディオ・プログラミング信号は、ＢＴＳＣ規格において追加情報チャンネルと定義されており、たとえば代替言語でのプログラミング、視覚障害者のための読出しサービスまたは他のサービスを運ぶためにしばしば使用される。
【特許文献１】米国特許第４、５３９、５２６号明細書
【特許文献２】米国特許出願公開第２００５／０２３２４３３
【特許文献３】米国特許第５、７９６、８４２号号明細書
【発明の開示】
【発明が解決しようとする課題】
【０００９】
コストは、もちろん、テレビ・メーカーにとって最も重要な問題である。激しい競争および消費者期待の結果として、家電製品（特にテレビ製品）の利ざやは、ほとんどないほどに小さくなり得る。ｄｂｘデコーダはテレビ受信機内に位置するので、メーカーは、デコーダのコストに敏感であり、デコーダのコスト削減は必要であり、有意義な目標である。エンコーダはテレビ受信機内に位置せず、利益の面からはそれほどには敏感なものではないが、エンコーダの製造原価を減少させるどんな開発もまた、利点をもたらす。
【課題を解決するための手段】
【００１０】
本開示の一態様によれば、テレビ・オーディオ信号エンコーダが、和信号の生成のために左チャンネル・オーディオ信号と右チャンネル・オーディオ信号を合計する装置を含む。このマトリックスはまた、差信号の生成のために左および右のオーディオ信号のうちの１つをもう一方のオーディオ信号から引く。エンコーダは、差信号をフィルタリングするために１つまたは複数のフィルタ係数セットを選択的に使用する構成可能無限インパルス応答デジタル・フィルタをも含む。フィルタ係数セットは、送信に備えて差信号を準備するために、単一の乗算器によって差信号に再帰的に適用される。
【００１１】
一実施形態では、構成可能無限インパルス応答デジタル・フィルタは、フィルタ係数セットを差信号に再帰的に適用するためのフィードバック経路を含み得る。このフィードバック経路は、差信号に関連したデジタル信号を遅延させるためのシフト・レジスタを含んでもよい。構成可能無限インパルス応答デジタル・フィルタは、差信号に関連した信号を乗算し、この乗算の出力を供給してもよい。構成可能無限インパルス応答デジタル・フィルタは、デジタル入力信号を選択し、またはフィルタ係数のうちの１つを選択するセレクタを含んでもよい。一部の構成では、セレクタは、マルチプレクサを含み得る。無限インパルス応答デジタル・フィルタは、ローパス・フィルタなど、様々なフィルタリング機能を提供するように構成されてもよい。構成可能無限インパルス応答デジタル・フィルタは、フィルタ係数を差信号に再帰的に適用するための単一の加算器を含むこともできる。テレビ・オーディオ信号は、放送テレビ・システム委員会規格（ＢＴＳＣ（Ｂｒｏａｄｃａｓｔ  Ｔｅｌｅｖｉｓｉｏｎ  Ｓｙｓｔｅｍ  Ｃｏｍｍｉｔｔｅｅ）規格）、ＮＩＣＡＭ（Ｎｅａｒ  Ｉｎｓｔａｎｔａｎｅｏｕｓｌｙ  Ｃｏｍｐａｎｄｅｄ  Ａｕｄｉｏ  Ｍｕｌｔｉｐｌｅｘ）規格、Ａ２／Ｚｗｅｉｔｏｎ規格、ＥＩＡ−Ｊ規格または他の類似のオーディオ規格に準拠してもよい。構成可能無限インパルス応答デジタル・フィルタは、集積回路で実装されてもよい。
【００１２】
本開示の別の態様によれば、テレビ・オーディオ信号デコーダは、差信号のフィルタリングのために１つまたは複数のフィルタ係数セットを選択的に使用する構成可能な無限インパルス応答デジタル・フィルタを含む。差信号は、左チャンネルおよび右チャンネル・オーディオ信号のうちの１つをもう一方のオーディオ信号から引くことにより生成される。フィルタ係数セットは、左チャンネルおよび右チャンネル・オーディオ信号の分離に備えて差信号を準備するために、単一の乗算器によって差信号に再帰的に適用される。デコーダは、差信号および和信号から左チャンネルと右チャンネル・オーディオ信号を分離する装置をも含む。和信号は、左チャンネル・オーディオ信号と右チャンネル・オーディオ信号の和を含む。
【００１３】
一実施形態では、構成可能無限インパルス応答デジタル・フィルタは、差信号にフィルタ係数セットを再帰的に適用するためのフィードバック経路を含み得る。このフィードバック経路は、差信号に関連したデジタル信号を遅延させるためのシフト・レジスタを含んでもよい。構成可能無限インパルス応答デジタル・フィルタは、差信号に関連した信号を乗算し、この乗算の出力を供給してもよい。構成可能無限インパルス応答デジタル・フィルタは、デジタル入力信号、またはフィルタ係数のうちの１つを選択するセレクタを含んでもよい。一部の構成では、セレクタは、マルチプレクサを含み得る。無限インパルス応答デジタル・フィルタは、ローパス・フィルタなど、様々なフィルタリング機能を提供するように構成されてもよい。構成可能無限インパルス応答デジタル・フィルタは、フィルタ係数を差信号に再帰的に適用するための単一の加算器を含むこともできる。テレビ・オーディオ信号は、ＢＴＳＣ規格、ＮＩＣＡＭ規格、Ａ２／Ｚｗｅｉｔｏｎ規格、ＥＩＡ−Ｊ規格または他の類似のオーディオ規格に準拠してもよい。構成可能無限インパルス応答デジタル・フィルタは、集積回路で実装されてもよい。
【００１４】
本開示の追加の利点および態様は、以下の詳細な説明から、当業者には容易に明らかになり、本発明の実施形態について、本発明を実施するために企図された最良のやり方を単に例示するために示し述べる。後述するように、本開示は、他の異なる実施形態が可能であり、そのいくつかの詳細は、本開示の精神から全く逸脱せずに、明白な様々な点において修正されることができる。したがって、諸図面および説明は、制限的なものではなく、例示的な性質のものと見なすべきである。
【発明を実施するための最良の形態】
【００１５】
図１を参照すると、ＢＴＳＣ互換テレビ信号送信機１０の機能ブロック図が、送信すべき信号を供給する５つの線（導電性ワイヤ、ケーブルなど）を含んでいる。具体的には、左右のオーディオ・チャンネルは、それぞれの線１２および１４上で供給される。ＳＡＰ信号が線１６によって供給され、この信号は追加のチャンネル情報（たとえば代替の言語など）を供給するためのコンテンツを含む。第４の線１８は、放送テレビおよびケーブル・テレビ会社によって一般に使用される専門チャンネル（ｐｒｏｆｅｓｓｉｏｎａｌ  ｃｈａｎｎｅｌ）を供給する。ビデオ信号は、線２０によって送信機２２に供給される。左、右およびＳＡＰチャンネルは、送信に備えてオーディオ信号を準備するＢＴＳＣエンコーダ２４に供給される。具体的には、左右のオーディオ・チャンネルは、オーディオ信号から和信号（Ｌ＋Ｒなど）および差信号（Ｌ−Ｒなど）を計算するマトリックス２６に供給される。一般に、マトリックス２６の操作は、デジタル信号プロセッサ（ＤＳＰ：Ｄｉｇｉｔａｌ  Ｓｉｇｎａｌ  Ｐｒｏｃｅｓｓｏｒ）、あるいはテレビ・オーディオおよびビデオ信号処理の技術分野の当業者には知られているハードウェアまたはソフトウェア・ベースの技術を使用して実施される。生成されると、和および差信号（すなわちＬ＋ＲおよびＬ−Ｒ）は、送信のために符号化される。具体的には、和信号（すなわちＬ＋Ｒ）は、プリエンファシス・ユニット２８に供給され、このプリエンファシス・ユニット２８は、和信号の選択された周波数成分の大きさを、他の周波数成分に対して変更する。この変更は、選択された周波数成分の大きさが抑制される負の方向であってもよく、またはこの変更は、選択された周波数成分の大きさが増加される正の方向であってもよい。
【００１６】
差信号（すなわちＬ−Ｒ）がＢＴＳＣコンプレッサ３０に供給され、このＢＴＳＣコンプレッサ３０は、送信の間に課されたノイズが、復号時に信号振幅および周波数成分によって抑制されるように、送信の前に信号を適応可能にフィルタリングする。差信号と同様に、ＳＡＰ信号が、ＢＴＳＣコンプレッサ３２に供給される。オーディオ変調器段３４は、処理された和信号、差信号およびＳＡＰ信号を受け取る。さらに、専門チャンネルからの信号が、オーディオ変調器段３４に供給される。４つの信号は、オーディオ変調器段３４によって変調され、送信機２２に供給される。ビデオ・チャンネルによって供給されるビデオ信号と共に、４つのオーディオ信号は、送信に備えて状態が整えられ、アンテナ３６（またはアンテナ・システム）に供給される。テレビ・システムおよび通信の分野の当業者には知られている様々な信号送信技術が、送信機２２およびアンテナ３６によって実装され得る。たとえば、送信機２２は、ケーブル・テレビ・システム、放送テレビ・システムまたは他の類似のテレビ・システムに組み込まれてもよい。
【００１７】
図２を参照すると、ＢＴＳＣコンプレッサ３０の一部によって実施される操作を表すブロック図が示されている。一般に、ＢＴＳＣコンプレッサ３０によって実施される差チャンネル（すなわちＬ−Ｒ）処理は、プリエンファシス・ユニット２８による和チャンネル（すなわちＬ＋Ｒ）処理よりかなり複雑である。差チャンネル処理ＢＴＳＣコンプレッサ３０によって提供される追加の処理は、ＢＴＳＣ信号を受け取るデコーダ（図示せず）によって提供される補完的な処理と相まって、差チャンネルの送受信に関連したより高いノイズ・フロアが存在する場合でも、差チャンネルの信号対雑音比を許容可能なレベルで維持する。基本的にＢＴＳＣコンプレッサ３０は、符号化された信号が、制限されたダイナミック・レンジの伝送経路を介して送信され得るように、また符号化された信号を受信するデコーダが、圧縮された差信号を補完的なやり方で展開することによって元の差信号の事実上すべてのダイナミック・レンジを回復し得るように、差信号のダイナミック・レンジを動的に圧縮しまたは減少させることにより、符号化された差信号を生成する。一部の構成では、ＢＴＳＣコンプレッサ３０は、参照により本明細書に組み込まれている米国特許第４、５３９、５２６号明細書に記載された特定の形の適応信号重み付けシステムを実装し、このシステムは、比較的大きいダイナミック・レンジを有する信号を、比較的狭い、周波数に依存したダイナミック・レンジを有する伝送経路を介して送信するのに有利であると知られている。
【００１８】
ＢＴＳＣ規格は、ＢＴＳＣエンコーダ２４と、ＢＴＳＣコンプレッサ３０および３２の所望の動作を厳密に定義する。具体的には、ＢＴＳＣ規格は、たとえばＢＴＳＣコンプレッサ３０内に含まれる各構成要素の動作について、伝達関数および／または指針を定めており、伝達関数は、理想化されたアナログ・フィルタの数学的表現に関して述べられている。マトリックス２６から差信号（すなわちＬ−Ｒ）を受け取ると、信号は、補間および固定プリエンファシス段３８に供給され得る。一部のデジタルＢＴＳＣエンコーダでは、補間はサンプル・レートの２倍について設定され、補間は、直線補間、放物線補間、またはｎ次のフィルタ（たとえば有限インパルス応答（ＦＩＲ：ｆｉｎｉｔｅ  ｉｍｐｕｌｓｅ  ｒｅｓｐｏｎｓｅ）フィルタ、無限インパルス応答（ＩＩＲ）フィルタなど）によって遂行され得る。補間および固定プリエンファシス段３８は、プリエンファシスをも提供する。補間およびプリエンファシスの後、差信号は除算器４０に供給され、この除算器４０は差信号を、差信号から決定される、以下でより詳細に述べる量で割る。
【００１９】
除算器４０の出力は、差信号の強調フィルタリングを実施するスペクトル圧縮ユニット４２に供給される。一般にスペクトル圧縮ユニット４２は、比較的低い振幅を有する信号を増幅し、比較的大きい振幅を有する信号を減衰させることによって差信号のダイナミック・レンジを「圧縮し」または減少させる。一部の構成では、スペクトル圧縮ユニット４２は、適用されるプリエンファシス／ディエンファシスを制御する内部制御信号を、差信号から生成する。一般にスペクトル圧縮ユニット４２は、差信号の高周波部分を、符号化された差信号の高周波部分のエネルギー・レベルによって決まる量だけ動的に圧縮する。スペクトル圧縮ユニット４２は、このようにして、差信号のより高い周波数部分に対して、追加の信号圧縮を提供する。これは、差信号がスペクトルのより高い周波数部分においてノイズが大きくなる傾向があるので行われる。符号化された差信号がデコーダ内のスペクトル・エキスパンダで、エンコーダのスペクトル圧縮ユニットに対してそれぞれ補完的なやり方で復号される場合、Ｌ−Ｒ信号の信号対雑音比は、ほぼ保存される。
【００２０】
スペクトル圧縮ユニット４２によって処理されると、差信号は、過変調保護ユニット４４および帯域制限ユニット４６に供給される。他の構成要素と同様に、ＢＴＳＣ規格は、過変調保護ユニット４４および帯域制限ユニット４６の動作についての提案される指針を定めている。一般に帯域制限ユニット４６および過変調保護ユニット４４の一部は、ローパス・フィルタとして実装されてもよい。過変調保護ユニット４４は、符号化された差信号の振幅を完全変調に制限する閾値装置としても働き、ただし、完全変調は、テレビ信号のオーディオ副搬送波を変調するための最大の許容偏差レベルである。
【００２１】
２つのフィードバック経路４８および５０が、ＢＴＳＣコンプレッサ３０に含まれる。フィードバック経路５０は、スペクトル圧縮ユニット４２のための制御信号の供給のためにより高い音声周波数に重みが与えられた、比較的狭い通過帯域を一般に有するスペクトル制御帯域通過フィルタ５２を含む。スペクトル制御帯域通過フィルタ５２によって生成された制御信号の状態を整えるために、フィードバック経路５０は、（スペクトル制御帯域通過フィルタ５２によって供給された信号を２乗するように構成された）乗算器５４と、積分器５６と、スペクトル圧縮ユニット４２に制御信号を供給する平方根装置をも含む。フィードバック経路４８は帯域通過フィルタ（すなわち利得制御帯域通過フィルタ６０）をも含み、この帯域通過フィルタは、除算器４０を介して補間および固定プリエンファシス段３８の出力信号に適用される利得を設定するために、帯域制限ユニット４６からの出力信号をフィルタリングする。フィードバック経路５０と同様に、フィードバック経路４８は、乗算器６２と、積分器６４と、除算器４０に供給される信号の状態を整えるための平方根装置６６を含む。
【００２２】
図３を参照すると、テレビ受信機システム６８を表すブロック図が示されており、このテレビ受信機システム６８は、テレビ送信システム１０（図１に示す）からＢＴＳＣ互換放送信号を受信するためのアンテナ７０（あるいはアンテナ・システム）を含む。アンテナ７０によって受信された信号は、テレビ送信信号を検出し分離することができる受信機７２に供給される。しかし、一部の構成では、受信機７２は、テレビ信号放送の分野の当業者には知られている別のテレビ信号送信技術からＢＴＳＣ互換信号を受信し得る。たとえば、テレビ放送信号は、ケーブル・テレビ・システムまたは衛星テレビ・ネットワークを介して受信機７２に供給されてもよい。
【００２３】
テレビ放送信号を受け取ると、受信機７２は、信号の状態を整え（増幅、フィルタリング、周波数スケーリングなど）、送信信号からビデオ信号とオーディオ信号を分離する。ビデオ・コンテンツはビデオ処理システム７４に供給され、このビデオ処理システム７４は、テレビ受信機システム６８に関連した画面（たとえば陰極線管など）上での提示に備えて、ビデオ信号に含まれるビデオ・コンテンツを準備する。別個の音声コンテンツを含む信号は復調器段７６に供給され、この復調器段７６はたとえば、テレビ送信システム１０でオーディオ信号に適用された変調を取り除く。復調されたオーディオ信号（ＳＡＰチャンネル、専門チャンネル、和信号、差信号など）は、各信号を適切に復号するＢＴＳＣデコーダ７８に供給される。ＳＡＰチャンネルはＳＡＰチャンネル・デコーダ８０に供給され、専門チャンネルは専門チャンネル・デコーダ８２に供給される。ＳＡＰチャンネルと専門チャンネルを分離した後、復調された和信号（すなわちＬ＋Ｒ信号）はディエンファシス・ユニット８４に供給され、このディエンファシス・ユニット８４は、プリエンファシス・ユニット２８（図１に示す）と比べて事実上補完的なやり方で和信号を処理する。和信号のスペクトル成分をディエンファシスすると、信号は、左と右のチャンネル・オーディオ信号を分離するためにマトリックス８８に供給される。
【００２４】
差信号（すなわちＬ−Ｒ）もまた、復調段７６によって復調され、ＢＴＳＣデコーダ７８内に含まれるＢＴＳＣエキスパンダ８６に供給される。ＢＴＳＣエキスパンダ８６は、ＢＴＳＣ規格に準拠しており、以下でより詳細に述べるように、差信号の状態を整える。マトリックス８８は、ＢＴＳＣエキスパンダ８６から差信号を受け取り、和信号と共に、右と左のオーディオ・チャンネルを、独立した信号（図３では「Ｌ」および「Ｒ」と識別される）に分離する。信号を分離することよって、右と左の個々のチャンネル・オーディオ信号は状態が整えられ、別個のスピーカに供給されることができる。この実施例では、左と右の両方のオーディオ・チャンネルは増幅器段９０に供給され、この増幅器段９０は、左チャンネル音声コンテンツ放送用のスピーカ９２、および右チャンネル音声コンテンツ放送用の別のスピーカ９４に各信号を供給する前に、同じ（または異なる）利得を各チャンネルに適用する。
【００２５】
図４を参照すると、ブロック図が、差信号の状態を整えるためにＢＴＳＣエキスパンダ８６によって実施される操作の一部を識別している。一般にＢＴＳＣエキスパンダ８６は、ＢＴＳＣコンプレッサ３２（図２に図示する）によって実施される操作を補完する操作を実施する。具体的には、圧縮された差信号は、信号を圧縮しないための信号経路９６、および差信号処理の助けとするために各制御および利得信号を生成する２つの経路９８および１００に供給される。処理を開始するために、圧縮された差信号が、圧縮された差信号をフィルタリングする帯域制限ユニット１０２に供給される。帯域制限ユニット１０２は、制御信号を生成するための経路９８、および利得信号を生成するための経路１００に信号を供給する。経路１００は、利得制御帯域通過フィルタ１０４と、乗算器１０６（利得制御帯域通過フィルタの出力を２乗する）と、積分器１０８と、平方根装置１１０とを含む。また信号経路９８は、帯域制限ユニット１０２から信号を受け取り、スペクトル制御帯域通過フィルタ１１２、２乗装置１１４、積分器１１６および平方根装置１１８で信号を処理する。次いで、経路９８はスペクトル展開ユニット１２０に制御信号を供給し、このスペクトル展開ユニット１２０は、図２に示すスペクトル圧縮ユニット４２によって実施される操作を補完する操作を実施する。経路１００によって生成された利得信号は、スペクトル展開ユニット１２０から出力信号を受け取る乗算器１２２に供給される。乗算器１２２はスペクトル展開された差信号を固定ディエンファシス・ユニット１２４に供給し、この固定ディエンファシス・ユニット１２４は、ＢＴＳＣコンプレッサ３０によって実施されるフィルタリングと比べて補完的なやり方で信号をフィルタリングする。一般に用語「ディエンファシス」は、復号された信号の選択された周波数成分を、元の信号を符号化する補完的なやり方で、負または正の方向に変更することを意味する。
【００２６】
ＢＴＳＣエンコーダ２４およびＢＴＳＣデコーダ７８の両方は、周波数の関数としてオーディオ信号の振幅を調整する多数のフィルタを含む。一部の従来技術のテレビ送信システムおよび受信システムでは、フィルタはそれぞれ、個別のアナログ部品を用いて実装される。しかし、デジタル信号処理の進歩により、一部のＢＴＳＣエンコーダおよびＢＴＳＣデコーダは、１つまたは複数の集積回路（ＩＣ：ｉｎｔｅｇｒａｔｅｄ  ｃｉｒｃｕｉｔ）を備えたデジタル領域で実装されることができる。さらに、複数のデジタルＢＴＳＣエンコーダおよび／またはデコーダが、単一のＩＣの上で実装されてもよい。たとえば、エンコーダとデコーダは、超大規模集積（ＶＬＳＩ：ｖｅｒｙ  ｌａｒｇｅ  ｓｃａｌｅ  ｉｎｔｅｇｒａｔｉｏｎ）システムの一部として単一のＩＣに組み込まれてもよい。
【００２７】
ＩＣのコストのかなりの部分は、チップの物理サイズ、具体的にはその「ダイ（ｄｉｅ）」のサイズ、またはチップのアクティブの非パッケージ部分に正比例する。一部の構成では、デジタルＢＴＳＣエンコーダおよびデコーダ内で実施されるフィルタリング操作は、一連のＤＳＰ機能および操作を実行するように設計された汎用デジタル信号プロセッサを使用して実行され得る。これらのＤＳＰエンジンは、比較的大きいダイ面積を有する傾向があり、そのために、ＢＴＳＣエンコーダおよびデコーダの実装に使用するには高価である。さらに、ＤＳＰは、他の機能および操作の実行に専用とされることがある。このリソースを共有することにより、ＤＳＰによって実施される処理は、ＢＴＳＣエンコーダおよびデコーダ機能および操作の処理に過負荷をかけ、それに干渉することがある。
【００２８】
一部の構成では、ＢＴＳＣエンコーダおよびデコーダは、コスト削減のため、基本部品群を組み込み得る。たとえば、乗算器、加算器およびマルチプレクサの群が、ＢＴＳＣエンコーダおよびデコーダ機能を作成するために組み込まれてもよい。しかし、ほぼ同一の部品群は容易に作ることができるが、それらの部品はかなりのダイ面積を占め、ＩＣの総コストを増加させる。したがって、デジタルＢＴＳＣエンコーダおよび／またはデコーダを実装するのに使用される、複製される回路部品の数を減らす必要性がある。
【００２９】
図５を参照すると、デジタルＢＴＳＣエンコーダおよび／またはデコーダのための複数の操作を実施することができる、構成可能無限インパルス応答（ＩＩＲ）フィルタ１２６のブロック図が示されている。具体的には、構成可能ＩＩＲフィルタ１２６は、様々なフィルタリング、乗算および遅延操作を実施することができるデジタル・アーキテクチャを含む。フィルタリング操作に関して、選択可能なフィルタリング係数を提供することにより構成可能ＩＩＲフィルタ１２６は、様々なタイプのフィルタおよび異なるフィルタリング操作用に構成されることができる。たとえば、フィルタリング係数は、ローパス・フィルタ、ハイパス・フィルタ、帯域通過フィルタ、またはフィルタ設計の分野の当業者には知られている他のタイプのフィルタを提供するように選択されてもよい。したがって、構成可能ＩＩＲフィルタ１２６の１つまたは比較的少ない数の実装を使用して、ＢＴＳＣエンコーダまたはＢＴＳＣデコーダのフィルタリングの必要性の大部分あるいはすべてに対処することができる。デコーダおよびエンコーダのフィルタの数を減らすことによって、ＢＴＳＣエンコーダおよびデコーダの製造コストに加えて、ＩＣチップの実装面積が削減される。構成可能ＩＩＲフィルタ１２６の他の実施形態は、参照により本明細書に組み込まれている、２００５年３月２４日に出願した米国特許出願公開第２００５／０２３２４３３号「Ｃｏｎｆｉｇｕｒａｂｌｅ  Ｆｉｌｔｅｒ  ｆｏｒ  Ｐｒｏｃｅｓｓｉｎｇ  Ｔｅｌｅｖｉｓｉｏｎ  Ａｕｄｉｏ  Ｓｉｇｎａｌｓ」に記載されている。
【００３０】
フィルタ係数の選択のための部品を使用することに加えて、再帰デジタル・アーキテクチャを使用することによって、部品数はさらに減少されることができる。この例示的な設計では、構成可能ＩＩＲフィルタ１２６はフィードバック経路１２８を含み、このフィードバック経路１２８は、アーキテクチャの出力部分からデジタル信号を、さらなる処理のための部品に渡す。フィードバック経路１２８を介して処理済みデジタル信号を渡すことによって、様々なタイプの再帰処理が構成可能ＩＩＲフィルタ１２６によって提供されることができる。たとえば、より高次（たとえば２次以上）のフィルタが、フィードバック経路１２８を介して信号を渡すことによって実現されることができる。
【００３１】
この実装形態では、様々なデジタル入力信号が、セレクタとして機能するマルチプレクサ１３０の入力で供給される。たとえば、信号は、ＢＴＳＣコンプレッサ３０（図２に示す）などのコンプレッサの様々な部分から入力されてもよい。補間および固定プリエンファシス段３８、利得制御帯域通過フィルタ６０およびスペクトル制御帯域通過フィルタ５２が、マルチプレクサ１３０にデジタル信号を供給してもよい。適切なスケジューリングに応じて、マルチプレクサ１３０は、適切な入力信号の処理のために１つの入力を選択する。選択された信号は、入力レジスタ１３２に、次いで適切なときにマルチプレクサ１３４に供給される。マルチプレクサ１３４は、単一の加算器１３６に、入力レジスタ１３２からのデータ（新しい入力データなど）、または（積レジスタ１４０を介した）単一の乗算器１３８からの以前に計算された積データからのデータを供給する。また加算器１３６は、和レジスタ１４４（好ましくは加算器１３６の出力に接続される）からの以前に累積されたデータ、あるいは乗算器１３８からの積データ（好ましくは積レジスタ１４０およびレジスタ１４６を介して供給される）である入力データをマルチプレクサ１４２から受け取る。
【００３２】
処理および以前に処理された信号の再帰処理のためのデジタル入力信号を供給するために、フィードバック経路１２８は、加算器１３６の出力を乗算器１３８に供給する。具体的には、加算器１３６の出力は、シフト・レジスタ１５０に出力信号を供給するマルチプレクサ１４８に供給される。加算器１３６の出力信号、または遅延バージョンの信号（シフト・レジスタ１５０からの出力）は、シフト・レジスタ１５０の入力に供給される。フィードバック経路１２８内にシフト・レジスタ１５０を含めることによって、乗算器１３８による処理の前に、時間遅延がデジタル信号に適用され得る。フィルタリングの適用では、シフト・レジスタ１５０によって生じる時間遅延が、より高次のフィルタ（２次フィルタなど）を実装するために使用されてもよい。
【００３３】
シフト・レジスタ１５０の出力は、（上述したように）マルチプレクサ１４８の入力に供給される。フィードバック経路１２８は、マルチプレクサ１５２を介して乗算器１３８にデータを供給する。具体的には、デジタル信号は、加算器１３６から直接に導体１５４を介したフィードバックであってもよい。また信号は、シフト・レジスタ１５０の出力、または（レジスタ１５６を介した）シフト・レジスタ１５０の遅延バージョンの出力によって提供されるようなフィードバックであってもよい。外部被乗数が、マルチプレクサ１５８の入力に供給されることもできる。図に示すように、外部データが、マルチプレクサ１５２の１つまたは複数の入力線１５８に提供されてもよい。乗算器１３８による乗算に備えて、レジスタ１６０にマルチプレクサ１５２からの出力信号が供給される。
【００３４】
フィルタ係数（固定値または変数を伴う）などのデータが、マルチプレクサ１６２によって構成可能ＩＩＲフィルタ１２６に供給されてもよい。具体的には、フィルタ係数を表すデータが、入力線１６４からマルチプレクサ１６２に供給されてもよい。外部被乗数が、入力線１６４によって供給されることもできる。外部からの供給に加えて、係数あるいは被乗数が、レジスタ１６６によってマルチプレクサ１６２に供給されてもよい。マルチプレクサ１５２と同様に、マルチプレクサ１６２は、乗算器１３８へのデータの供給に備えて、レジスタ１６８にデータを供給する。
【００３５】
フィードバック経路１２８が構成可能ＩＩＲフィルタ１２６内に含まれるので、単一の乗算器（すなわち乗算器１３８）が、フィルタ実装のため乗算機能を内部で提供するために組み込まれることができる。この単一乗算器の手法を実装することによって、集積回路の面積（ｒｅａｌ  ｅｓｔａｔｅ）が保存され、他の機能を提供するために使用されることができる。たとえば、積レジスタ１４０の出力を外部装置および部品に直接供給するために、一連の出力レジスタが実装されてもよい。さらに、フィードバック経路１２８により、単一の加算器（すなわち加算器１３６）が、様々なタイプのＩＩＲフィルタを実装するための加算機能を提供する。この場合もまた、単一の部品、この場合には加算器１３６を使用することによって、追加のチップ面積が他の部品のために保存される。たとえば、（和レジスタ１４４を介した）加算器１３６の出力を、同じ集積回路または外部装置に置かれた外部部品またはモジュールに向けるために、一連の出力レジスタ１７２が実装されてもよい。
【００３６】
（出力レジスタ１７０によって供給された出力を用いた）乗算機能、および（出力レジスタ１７２によって供給された出力を用いた）フィルタリング機能を提供することに加えて、構成可能ＩＩＲフィルタ１２６は、時間遅延機能を提供することもできる。たとえば、レジスタに供給される１つまたは複数のデジタル信号の時間遅延されたバージョンを提供するために、シフト・レジスタ１５０の出力および／またはレジスタ１５６の出力が使用されてもよい。
【００３７】
構成可能ＩＩＲフィルタ１２６が複数のタイプのフィルタリング操作を実施できるようにするために、マルチプレクサ１３０は、どの入力が入力信号を供給するかを制御する。図２に簡潔に言及すると、マルチプレクサ１３０への入力の一部が、ＢＴＳＣコンプレッサ３０内で実施される各フィルタリング操作のための入力信号を供給するために接続されてもよい。たとえば、利得制御帯域通過フィルタ６０への入力が、マルチプレクサ１３０の入力に接続されてもよい。同様に、スペクトル制御帯域通過フィルタ５２への入力が、マルチプレクサ１３０の別の入力に接続されてもよい。次いで、マルチプレクサ１３０は、構成可能ＩＩＲフィルタ１２６によってどの特定のフィルタリング操作が実施されるかを制御してもよい。たとえば、ある期間の間に、適切な入力が選択されることができ、構成可能ＩＩＲフィルタ１２６が、利得制御帯域通過フィルタ６０のフィルタリング機能を提供するように構成されてもよい。次いで、別の期間では、マルチプレクサ１３０は、異なるフィルタリング操作を実施するための別の入力を選択するために使用されてもよい。他の入力の選択に加えて、構成可能ＩＩＲフィルタ１２６は、スペクトル制御帯域通過フィルタ５２によって提供されるフィルタリングなど、異なるタイプのフィルタリング機能を提供するようにそれに応じて構成されてもよい。
【００３８】
たとえばＢＴＳＣコンプレッサまたはＢＴＳＣエキスパンダのための複数のフィルタリング操作を実施するために、構成可能ＩＩＲフィルタ１２６は、デジタル・コンプレッサまたはエキスパンダの他の部分よりかなり速いクロック速度で動作する。より速いクロック速度で動作することによって、構成可能ＩＩＲフィルタ１２６は、デジタル・コンプレッサまたはエキスパンダの他の操作を遅延させずに、あるタイプのフィルタリングを実施することができる。たとえば、構成可能なＩＩＲフィルタ１２６をかなり速いクロック速度で動作させることによって、まずこのアーキテクチャは、その次のフィルタ構成（スペクトル制御帯域通過フィルタ５２のためのフィルタ操作など）の実行を事実上遅延させずに、利得制御帯域通過フィルタ６０のフィルタリングを実施するように構成されることができる。
【００３９】
一構成では、構成可能ＩＩＲフィルタ１２６は、２次ＩＩＲフィルタとして実装され得る。図６を参照すると、一般的な２次ＩＩＲフィルタについて、ｚ領域信号の流れ図１７４が示されている。入力ノード１７６は、Ｘ（ｚ）と識別された入力信号を受け取る。入力信号は加算器１７８に供給され、加算器１７８はこの信号を、下記で述べる処理済みの信号に加える。加算器１７８の出力は、入力信号にフィルタ係数ａ０を適用する利得段１８０に供給される。一部の適用例では、フィルタ係数ａ０は、単一値（ｕｎｉｔｙ  ｖａｌｕｅ）を有する。同様に、フィルタ係数ｂ０が、利得段１８２で入力信号に適用される。遅延段１８４で、時間遅延（すなわちｚ領域でｚ−１と表される）が、入力信号がフィルタの１次部分に入るときに適用され、フィルタ係数ａ１およびｂ１が、それぞれの利得段１８６および１８８で適用される。第２の遅延（すなわちｚ−１）が、フィルタ１７４の２次部分を生成するために遅延段１９０で適用され、フィルタ係数ａ２およびｂ２が、それぞれの利得段１９２および１９４で適用される。それぞれの加算器１９６、１９８および２００は、利得段からの信号を加算し、フィルタリングされた信号は、以下の数式で示すように、出力信号Ｙ（ｚ）が２次フィルタ１７４の伝達関数Ｈ（ｚ）によって決定され得るように、出力ノード２０２に供給される。
【数１】
2008510435.tif 000003
【００４０】
伝達関数に含まれる係数（すなわちｂ０、ａ０、ｂ１、ａ１、ｂ２およびａ２）のそれぞれに、所望のタイプのフィルタを作成するための特定の値が割り当てられてもよい。たとえば、ローパス・フィルタ、ハイパス・フィルタまたは帯域通過フィルタなどを作成するために、特定の値が係数に割り当てられてもよい。したがって、それぞれの係数に適した値を供給することによって、２次フィルタのタイプおよび特性（たとえば通過帯域、ロールオフなど）は、異なる係数セットを用いて、（適用例に応じた）別のタイプのフィルタへと構成され、また再構成されることができる。この実施例では２次フィルタについて述べているが、他の構成では、ｎ次のフィルタが実装され得る。たとえば、より高次（たとえば３次、４次など）のフィルタ、またはより低次（たとえば１次フィルタ）のフィルタが実装され得る。さらに、一部の適用例では、構成可能ＩＩＲフィルタ１２６の再帰デジタル・アーキテクチャは、ｎ次フィルタを作成するようにカスケードにすることができる。
【００４１】
図５に戻って参照すると、構成可能ＩＩＲフィルタ１２６の特定の入力を選択するためにマルチプレクサ１３０を使用することに加えて、フィルタによって使用される係数は、異なるタイプのフィルタを実装し、特定のフィルタ特性を提供するように選択される。たとえば、係数は、ローパス・フィルタ、ハイパス・フィルタ、帯域通過フィルタ、またはＢＴＳＣオーディオ信号を符号化しまたは復号するために使用される他の類似のタイプのフィルタを実装するように選択されてもよい。フィードバック経路１２８によって提供される再帰処理により、異なる係数あるいは係数セットが、マルチプレクサ１５２および／またはマルチプレクサ１６２によって選択されてもよい。異なる再帰的反復について異なる係数を選ぶことによって、様々なフィルタが実装されることができる。たとえば、マルチプレクサ１６２は、２次フィルタに関連したフィルタ係数（たとえばａ０、ｂ０、ａ１、ｂ１など）を選択するように制御されてもよい。次いで、その次の反復について、マルチプレクサ１６２は、別のフィルタ係数を選択してもよい。これらの選択可能な係数値を提供することによって、構成可能ＩＩＲフィルタ１２６は、符号化と復号の両方の操作についてフィルタを提供するように構成されることができる。ある適用例（利得制御帯域通過フィルタ６０など）についてフィルタリングを再帰的なやり方で完了すると、次いで、マルチプレクサ１３０は、別の適用例（スペクトル制御帯域通過フィルタ５２など）のための入力信号を供給する位置に置かれてもよい。この入力を選択することにより、新しいフィルタ係数が、マルチプレクサ１６２および／またはマルチプレクサ１５２によって、この次の適用例のためのフィルタリングを実施するのに必要な特定のフィルタ・タイプおよびフィルタ特性を提供するように選択されることができる。
【００４２】
図６に示す実施例では、構成可能ＩＩＲフィルタ１２６は２次フィルタ用に構成されているが、しかし、一部の符号化および／または復号フィルタリングの適用例は、より高次のフィルタを必要とすることがある。より高次のフィルタを提供するために、追加の再帰反復が、フィードバック経路１２８を介して実施されてもよい。フィードバック経路を使用することにより、信号は、同じ（または異なる）フィルタ係数を使用してＩＩＲフィルタを複数回通過することができる。したがって、フィルタリング操作は、様々なタイプのフィルタおよび様々な次数のフィルタ実装について、単一の乗算器（すなわち乗算器１３８）および単一の加算器（すなわち加算器１３６）を用いて実施されることができる。構成可能ＩＩＲフィルタ１２６によって実施される反復について例示するために、図では数字標識（すなわち１、２、３、４、５）が、各機能が実行される個々のクロック・サイクルを表している。この例では、これらの機能は、１、２、３、４、５のシーケンスで実行される。したがって、２次フィルタについての出力を計算するには、５つのクロック・サイクルが必要である。さらに、実行された機能のこのシーケンスは、周期的に（たとえば１、２、３、４、５、１、２、３、４、５など）で繰り返されてもよい。
【００４３】
電子工学およびフィルタ設計の分野の当業者には知られている様々な技術および部品が、マルチプレクサ（マルチプレクサ１３０、１５２、１６２など）を実装するために使用されてもよい。たとえば、マルチプレクサ１３０は、入力のうちから選択するために１つまたは複数のマルチプレクサによって実装されてもよい。さらに、適切なフィルタ係数を選択するために、マルチプレクサ、または他のタイプのデジタル選択装置が実装されてもよい。ＩＩＲフィルタ１７４などのＦＩＲフィルタを構成するために、様々な係数値が使用されてもよい。たとえば、参照により本明細書に組み込まれている、米国特許第５７９６８４２号、Ｈａｎｎａに記載された係数が、構成可能ＩＩＲフィルタ１２６によって使用されてもよい。一部の構成では、フィルタ計算は、ＢＴＳＣエンコーダまたはデコーダに関連したメモリ（図示せず）内に格納され、適切なときに適切なマルチプレクサによって取り出される。たとえば、係数は、メモリ・チップ（たとえばランダム・アクセス・メモリ（ＲＡＭ：ｒａｎｄｏｍ  ａｃｃｅｓｓ  ｍｅｍｏｒｙ）、読出し専用メモリ（ＲＯＭ：ｒｅａｄ−ｏｎｌｙ  ｍｅｍｏｒｙ）など）またはＢＴＳＣエンコーダまたはデコーダに関連した別のタイプの記憶装置（たとえばハード・ドライブ、ＣＤ−ＲＯＭなど）内に格納されてもよい。係数は、ルックアップ・テーブルなどの様々なソフトウェア構造、または他の類似の構造に格納されることもできる。
【００４４】
構成可能なＩＩＲフィルタ１２６は、単一の乗算器１３８に加えて、単一の加算器１３６をも含む。構成可能ＩＩＲフィルタ１２６に含まれる加算器１３６および乗算器１３８を実装するために、電子回路設計およびデジタル設計の分野の当業者には知られている様々な技術および／または部品が使用されてもよい。たとえば、１つまたは複数の「ＡＮＤ」ゲートなどの論理ゲートが、各乗算器として実装されてもよい。時間遅延を生じさせるために、電子回路設計およびデジタル設計の分野の当業者には知られている様々な技術および／または部品が、シフト・レジスタ１５０（図５に示す）を生成し、適切な数のクロック・サイクルについてのデジタル化された入力信号値を格納し保持することにより遅延を設けるために実装されてもよい。
【００４５】
この実施例では、構成可能ＩＩＲフィルタ１２６は、ハードウェア部品で実装されるが、しかし、一部の構成では、アーキテクチャの１つまたは複数の動作部分がソフトウェアで実装され得る。構成可能ＩＩＲフィルタ１２６の操作を実施するコードの例示的な１つのリストが、付録Ａに示されている。この例示的なコードはＶｅｒｉｌｏｇで示されており、このＶｅｒｉｌｏｇは一般に、製造前にチップおよびシステムについて記述し設計するために電子設計者によって使用されるハードウェア記述言語である。このコードは、記憶装置（たとえばＲＡＭ、ＲＯＭ、ハード・ドライブ、ＣＤ−ＲＯＭなど）内に格納され、そこから取り出され、１つまたは複数の汎用プロセッサ、および／または専用ＤＳＰなどの特化されたプロセッサ上で実行されてもよい。
【００４６】
図７を参照すると、ＢＴＳＣコンプレッサ３０のブロック図が提供されており、この図の一部は、構成可能ＩＩＲフィルタ１２６の単一（または複数）の実装によって実施され得る機能を示すために強調されている。具体的には、補間および固定プリエンファシス段３８によって実施されるフィルタリングは、構成可能ＩＩＲフィルタ１２６によって実施されてもよい。たとえば、マルチプレクサ１３０の入力は、補間および固定プリエンファシス段３８内の適切なフィルタ入力に接続されてもよい。それに対応して、マルチプレクサ１３０のこの入力が選択されるときに、適切なフィルタ・タイプおよびフィルタ特性を生じさせるためフィルタ係数がメモリから取り出され使用されてもよい。同様に、利得制御帯域通過フィルタ６０がデジタル構成可能ＩＩＲフィルタ１２６内のマルチプレクサ１３０の別の入力に割り当てられてもよく、スペクトル制御帯域通過フィルタ５２が、マルチプレクサ１３０のさらに別の入力に割り当てられてもよい。帯域制限ユニット４６が、マルチプレクサ１３０の別の入力に割り当てられてもよい。これらの選択可能な入力のそれぞれについて、対応するフィルタ係数が（たとえばメモリ内に）格納され、構成可能ＩＩＲフィルタ１２６のマルチプレクサ１５２および／またはマルチプレクサ１６２によって取り出されてもよい。この実施例では、ＢＴＳＣコンプレッサ３０の４つの部分に関連したフィルタリングが構成可能ＩＩＲフィルタ１２６によって選択的に実施されるが、しかし、他の構成では、コンプレッサのより多いまたは少ないフィルタリング操作が、構成可能ＩＩＲフィルタによって実施され得る。さらに、構成可能ＩＩＲフィルタ１２６は、乗算器１３８および出力レジスタ１７０（図５に示す）を介して乗算機能をも提供する。そのために、乗算器５４および６２の操作のそれぞれに、構成可能ＩＩＲフィルタ１２６が設けられ得る。
【００４７】
図８を参照すると、ＢＴＳＣエキスパンダ８６の一部が、構成可能ＩＩＲフィルタ１２６を用いて実装され得る１つまたは複数の構成可能ＩＩＲフィルタによって実装され得るフィルタリング操作を識別するように強調されている。たとえば、帯域制限ユニット１０２に関連したフィルタリングが、構成可能ＩＩＲフィルタ１２６によって実施されてもよい。具体的には、マルチプレクサ１３０の入力が、入力の選択時に適切なフィルタリング係数が構成可能ＩＩＲフィルタ１２６によって取り出され使用されるように、帯域制限ユニット１０２に割り当てられてもよい。同様に、（マルチプレクサ１３０の別の入力に割り当てられた）利得制御帯域通過フィルタ１０４、（マルチプレクサ１３０の別の入力に割り当てられた）スペクトル制御帯域通過フィルタ１１２、および（マルチプレクサ１３０のさらに別の入力に割り当てられた）固定ディエンファシス・ユニット１２４に関連したフィルタリングは、構成可能ＩＩＲフィルタ１２６へ統合される。さらに、その乗算機能により、構成可能ＩＩＲフィルタ１２６は、乗算器１０６、１１４および１２２のうちの１つまたは複数のための乗算機能を提供することができる。
【００４８】
上記実施例では、ＢＴＳＣエンコーダおよびＢＴＳＣデコーダと共に構成可能ＩＩＲフィルタ１２６を使用して述べたが、テレビ・オーディオ規格に準拠したエンコーダおよびデコーダが、構成可能ＩＩＲフィルタを実装し得る。たとえば、ヨーロッパで使用されている近瞬間圧伸オーディオ多重（ＮＩＣＡＭ）関連したエンコーダおよび／またはデコーダが、ＩＩＲフィルタ１２６などの１つまたは複数の構成可能ＩＩＲフィルタを組み込んでもよい。同様に、Ａ２／Ｚｗｅｉｔｏｎオーディオ規格（ヨーロッパおよびアジアの一部で現在使用されている）または日本電子機械工業会（ＥＩＡ−Ｊ：Ｅｌｅｃｔｒｏｎｉｃｓ  Ｉｎｄｕｓｔｒｙ  Ａｓｓｏｃｉａｔｉｏｎ  ｏｆ  Ｊａｐａｎ）規格を実装するエンコーダおよびデコーダが、１つまたは複数の構成可能ＩＩＲフィルタを組み込んでもよい。
【００４９】
上記の実施例では右・左のオーディオ・チャンネルから生成された差信号を符号化し、復号するための構成可能ＩＩＲフィルタ１２６を使用して述べたが、構成可能ＩＩＲフィルタは、他のオーディオ信号を符号化し、復号するために使用されてもよい。たとえば、構成可能ＩＩＲフィルタ１２６は、ＳＡＰチャンネル、専門チャンネル、和チャンネル、あるいはテレビ・オーディオ・チャンネルの１つまたは複数の他の個別のまたは組み合わされたタイプを符号化しかつ／または復号するために使用されてもよい。
【００５０】
複数の実装形態について述べた。しかし、様々な修正が行われ得ることが理解されよう。したがって、他の実装形態も、特許請求の範囲内のものである。以下に、上述した付録Ａを示す。
【００５１】
2008510435.tif 000004
2008510435.tif 000005
2008510435.tif 000006
2008510435.tif 000007
2008510435.tif 000008
2008510435.tif 000009
2008510435.tif 000010
2008510435.tif 000011
2008510435.tif 000012
2008510435.tif 000013
2008510435.tif 000014
2008510435.tif 000015
2008510435.tif 000016
【図面の簡単な説明】
【００５２】
【図１】ＢＴＳＣテレビ・オーディオ信号規格に準拠するように構成されたテレビ信号送信システムを表すブロック図である。
【図２】図１に示すテレビ信号送信システム内に含まれるＢＴＳＣエンコーダの一部を表すブロック図である。
【図３】図１に示すテレビ信号送信システムによって送信されるＢＴＳＣテレビ・オーディオ信号を受信し復号するように構成されたテレビ受信機システムを表すブロック図である。
【図４】図３に示すテレビ受信機システム内に含まれるＢＴＳＣデコーダの一部を表すブロック図である。
【図５】図２および図４に示すエンコーダおよびデコーダの操作を実施するための構成可能無限インパルス応答フィルタの概略図である。
【図６】図５に示す無限インパルス応答フィルタによって実装され得る２次無限インパルス応答フィルタの伝達関数をグラフで表す図である。
【図７】図５に示す構成可能無限インパルス応答フィルタによって実施され得る操作を強調するＢＴＳＣエンコーダの一部のブロック図である。
【図８】図５に示す構成可能無限インパルス応答フィルタによって実施され得る操作を強調するＢＴＳＣエンコーダの一部のブロック図である。
【図１】
2008510435.tif 000017
【図２】
2008510435.tif 000018
【図３】
2008510435.tif 000019
【図４】
2008510435.tif 000020
【図５】
2008510435.tif 000021
【図６】
2008510435.tif 000022
【図７】
2008510435.tif 000023
【図８】
2008510435.tif 000024
【国際調査報告】
2008510435.tif 000025
2008510435.tif 000026